(57)【特許請求の範囲】
【請求項１】
コンクリート打設した成形型を収納する養生槽内に、加熱蒸気を送り込んで、成形型に打設されたコンクリートを養生硬化させるようになされた装置であって、
養生槽に、この養生槽内の空気を取り出して冷却し、冷却にともなって発生する結露水をドレイン管から外部に排出するようになされた冷却路と、この冷却路からの空気を加熱する加熱装置と、この加熱装置によって乾燥加熱された空気を再度養生槽内へと送り込む空気排気路とを具備した熱風循環装置が設けられたことを特徴とする養生装置。
【請求項２】
コンクリート打設した成形型を収納する養生槽内に、加熱蒸気を送り込んで、成形型に打設されたコンクリートを養生硬化させるようになされた装置であって、  養生槽に、この養生槽内の空気を取り出して冷却し、冷却にともなって発生する結露水をドレイン管から外部に排出するようになされた冷却路と、この冷却路からの空気を加熱する加熱装置と、この加熱装置によって乾燥加熱された空気をファンを介して送風する送風路と、この送風路から外部と養生槽内とに分岐して設けられ、それぞれに設けられた開閉弁の開閉によって外部または養生槽内に送風路からの送風を送り込む空気排気路とを具備した熱風循環装置が設けられたことを特徴とする養生装置。
【発明の詳細な説明】
【０００１】
【発明の属する技術分野】
本発明は、成形型に打設されたコンクリートを養生硬化させる養生装置に関するものである。
【０００２】
【従来の技術】
一般に、成形型にコンクリートを打設し、養生硬化させて外壁パネルなどの製品を製造することが行われている。この養生硬化を行う場合、打設後のコンクリートは水分を多く含んでいるため、この水分を一挙に加熱蒸発させて短時間で硬化させると、ひび割れの原因となったりしてしまう。
【０００３】
そこで、従来より、コンクリート打設した成形型を収納する養生槽内に、加熱蒸気を送り込むようになされた養生装置を用いることが行われている。
【０００４】
【発明が解決しようとする課題】
しかし、上記従来の養生装置の場合、加熱蒸気を送り込むことによって養生槽内が常に飽和水蒸気となってしまうので、所定の強度を得るのに通常一日を要するといった不都合を生じることとなる。
【０００５】
また、養生槽内には、コンクリート打設した多数の成形型が収納されるため、これらの成形型が均等に養生硬化できるように、養生槽内の温度の均一化を図ることが難しいといった不都合を生じることとなる。
【０００６】
本発明は、係る実情に鑑みてなされたものであって、短時間で効率良く養生硬化させることができる養生装置を提供することを目的としている。
【０００７】
上記課題を解決するための本発明の養生装置は、コンクリート打設した成形型を収納する養生槽内に、加熱蒸気を送り込んで、成形型に打設されたコンクリートを養生硬化させるようになされた装置であって、養生槽に、この養生槽内の空気を取り出して冷却し、冷却にともなって発生する結露水をドレイン管から外部に排出するようになされた冷却路と、この冷却路からの空気を加熱する加熱装置と、この加熱装置によって乾燥加熱された空気を再度養生槽内へと送り込む空気排気路とを具備した熱風循環装置が設けられたものである。また、養生槽に、この養生槽内の空気を取り出して冷却し、冷却にともなって発生する結露水をドレイン管から外部に排出するようになされた冷却路と、この冷却路からの空気を加熱する加熱装置と、この加熱装置によって乾燥加熱された空気をファンを介して送風する送風路と、この送風路から外部と養生槽内とに分岐して設けられ、それぞれに設けられた開閉弁の開閉によって外部または養生槽内に送風路からの送風を送り込む空気排気路とを具備した熱風循環装置が設けられたものである。
【０００８】
【発明の実施の形態】
以下、本発明の実施の形態を図面を参照して説明する。
【０００９】
図１は養生装置１の全体構成の概略を示している。
【００１０】
すなわち、この養生装置１は、養生槽２に熱風循環装置３が設けられている。
【００１１】
養生槽２は、箱型に形成されており、その内部には、コンクリート打設後の成形型４を、多段に積層した状態で大量に収納できるようになされている。また、この養生槽２には、加熱蒸気Ｓの供給路２１が接続され、電磁弁２２の開閉によって、養生槽２内に加熱蒸気Ｓを送り込むことができるようになされている。
【００１２】
熱風循環装置３は、養生槽２に設けられた空気取入口３１から、養生槽２内の空気を取り出して乾燥加熱した後、この乾燥加熱した空気を、養生槽２に設けられた空気吹出口３２から再度養生槽２内へと送り込むようになされている。
【００１３】
すなわち、空気取入口３１からの空気は、この空気取入口３１に連続する冷却路３３で冷却される。これにともなって発生する結露水は、この冷却路３３に設けられたドレイン管３４から外部に排出される。
【００１４】
ついで、冷却された空気は、冷却路３３に連続する加熱装置３５で加熱され、高温低湿度の乾燥空気となる。この加熱装置３５は、装置本体３５ａ内に、加熱蒸気Ｓが通過する放熱管３５ｂを設けて構成されている。そして、電磁弁３５ｃを開いて放熱管３５ｂ内に加熱蒸気Ｓを供給し、放熱管３５ｂを加熱することで、装置本体３５ａ内を通過する空気を加熱するようになされている。
【００１５】
そして、このようにして得られる乾燥空気は、ファン３６を介して空気吹出口３２から養生槽２内へと再び供給される。また、ファン３６から空気吹出口３２へと至る送風路３７には空気排気路３８が設けられており、それぞれに開閉弁３９が設けられている。この開閉弁３９は、通常時、空気排気路３８の開閉弁３９が閉じられ、空気吹出口３２の開閉弁３９が開かれ、空気吹出口３２からの乾燥空気の供給が行われるようになされている。また、排気時には、空気排気路３８の開閉弁３９が開かれ、空気吹出口３２の開閉弁３９が閉じられ、養生槽２内の加熱蒸気Ｓを空気排気路３８から排気するようになされている。
【００１６】
このようにして構成される養生装置１は、コンクリートを打設した成形型４が、多段に積層された状態で養生槽２内に収納される。
【００１７】
そして、打設時の温度を保持したまま、一時間当たり１５℃の割合で６０℃まで昇温し、昇温後、その温度を保持して養生させる。この際、打設後のコンクリートは、多量の水分を含んでいるため、最初は、電磁弁２２を開いて加熱蒸気Ｓによって昇温して養生槽２内に充分に加熱蒸気Ｓを行き渡らせる。
【００１８】
ついで、電磁弁２２を閉じて加熱蒸気Ｓによる昇温を停止させる一方、電磁弁３５ｃを開き、熱風循環装置３による昇温に切り換える。これにより、養生槽２内に充満した加熱蒸気Ｓは、熱風循環装置３によって吸い込まれ、乾燥加熱後、再度養生槽２へと吹き出されることとなり、養生槽２内は、充分に拡散されるとともに、徐々に除湿されることとなる。
【００１９】
その後、熱風循環装置３による除湿状況に応じて、電磁弁２２を断続的に開閉させ、養生槽２内に加熱蒸気Ｓを供給する。これにより、通常、加熱蒸気Ｓだけの養生で最大約２０時間かかっていた作業を、約８時間に短縮することができ、養生作業を効率良く行うことができる。なお、本実施の形態では、一時間当たり１５℃の割合で昇温し、６０℃で保持するようになされているが、特にこのような条件については、限定されるものではなく、季節やコンクリート材料などに応じて養生条件が変わるので、この養生条件に応じて電磁弁２２および電磁弁３５ｃの開閉を制御することで、養生槽２内の温度および湿度を自由に設定することができる。
【００２０】
そして、養生終了後は、加熱蒸気Ｓの供給を停止し、空気排気路３８の開閉弁３９を開き、空気吹出口３２の開閉弁３９を閉じた状態で、熱風循環装置３のファン３６を運転する。これにより、養生槽２内の加熱蒸気Ｓを空気排気路３８から排気し、養生槽２内の水分の除去および冷却を迅速に行って、次の養生作業に素早く移行する準備をすることができる。
【００２１】
なお、本実施の形態では、養生槽２に供給される加熱蒸気Ｓを、熱風循環装置３における加熱装置３５の熱源にも利用しているため、経済的かつ合理的であるが、特にこの熱源としては、加熱蒸気Ｓである必要はなく、例えば、この加熱装置３５に、加熱蒸気Ｓの通過する放熱管３５ｂを設ける代わりに、電熱ヒータ（図示省略）のような熱源を用いても良い。
【００２２】
【発明の効果】
以上述べたように、本発明によると、加熱蒸気によって養生槽内を加熱すると同時に、熱風循環装置によって、この養生槽内の空気を取り出して乾燥加熱して再度養生槽内へと送り込むことができるので、この熱風循環装置の運転によって、養生槽内の温度および湿度を自由に制御することができる。したがって、コンクリートにひびが入らない程度に湿度を徐々に低下させるように制御しながら加熱して養生時間の短縮を図ることができる。
【００２３】
また、養生槽内の空気は、熱風循環装置によって取り出されて乾燥加熱後、再度養生槽内へと送り込まれるので、この養生槽内で充分に拡散されることとなり、養生槽内を均等な状態とすることができる。したがって、ムラ無く均等に養生硬化させることができる。
【００２４】
さらに、熱風循環装置によって養生後の養生槽内の空気を排気することで、養生槽内の水分の除去および冷却を素早く行うことができる。したがって、次の養生作業に素早く移行する準備をすることが可能となる。
【図面の簡単な説明】
【図１】養生装置の全体構成の概略を示す断面図である。
【図２】養生装置による養生状態の一例を示すグラフである。
【符号の説明】
１  養生装置
２  養生槽
３  熱風循環装置
４  成形型
Ｓ  加熱蒸気
【図１】
0003557315.tif 000002
【図２】
0003557315.tif 000003